(57)【特許請求の範囲】
【請求項１】
複数のアイコン及び前記複数のアイコンから所望のアイコンを選択するカーソルを表示する表示手段と、
入力座標と入力動作を入力情報として出力する平面型座標入力手段と、
前記平面型座標入力手段が出力する入力情報からタップ動作を検知して入力情報を記憶する入力情報検知手段と、
入力座標に対応した前記表示手段の位置にカーソルを表示するカーソル表示手段と、
前記入力情報検知手段が検知したタップ動作が、タップ動作判定の開始から奇数回目のタップ動作（第１タップ動作）か偶数回目のタップ動作（第２タップ動作）かを判定するタップ動作判定手段と、
前記第１タップ動作の場合には、前記入力情報検知手段が記憶している入力座標に対応する前記表示手段における所定の領域を拡大表示する拡大変更情報を生成し、前記第２タップ動作の場合には、前記拡大変更情報によって拡大表示された前記表示手段の前記表示内容を通常表示に復元する表示復元情報を生成するとともに、拡大表示時の入力座標を通常表示時の座標に変換する座標変換手段と、
前記座標変換手段が生成する前記拡大変更情報または前記表示復元情報に基づき、前記表示手段の表示内容を変更する表示変更手段とを有し、
所望のアイコンの近傍にカーソルを合わせ、前記座標変換手段が、前記第１タップ動作か前記第２タップ動作かの判定に従い、前記所定の領域を拡大表示、または拡大表示を通常表示に復元する平面型座標入力装置。
【請求項２】
前記座標変換手段が前記第２タップ動作の前記入力座標を処理する場合に、前記入力座標が前記第１タップ動作で拡大表示された拡大表示領域内か否かを判定し、
前記拡大表示領域内の場合には、前記座標変換手段により通常表示に復元すると共に、前記第２タップ動作の前記入力座標位置に対応する操作であるイベントを発生し、
前記拡大表示領域外の場合には、前記イベントを発生しない請求項１記載の平面型座標入力装置。
【請求項３】
複数のアイコン及び前記複数のアイコンから所望のアイコンを選択するカーソルを表示手段に表示する表示手順と、
入力座標と入力動作を入力情報として出力する座標入力手順と、
前記座標入力手順で出力する入力情報からタップ動作を検知して入力情報を記憶する入力情報検知手順と、
入力座標に対応した前記表示手段の位置にカーソルを表示するカーソル表示手順と、
前記入力情報検知手順で検知したタップ動作が、タップ動作判定の開始から奇数回目のタップ動作（第１タップ動作）か偶数回目のタップ動作（第２タップ動作）かを判定するタップ動作判定手順と、
前記第１タップ動作の場合には、前記入力情報検知手順で記憶した入力座標に対応する前記表示手段における所定の領域を拡大表示するための拡大変更情報を生成し、前記第２タップ動作の場合には、前記拡大変更情報によって拡大表示された表示手段の前記拡大表示された表示内容を通常表示に復元するための表示復元情報を生成するとともに、拡大表示時の入力座標を通常表示時の座標に変換する座標変換手順と、
前記座標変換手順で生成した前記拡大変更情報または前記表示復元情報に基づき、表示手段の表示内容を変更する表示変更手順とを有し、
所望のアイコンの近傍にカーソルを合わせ、前記座標変換手順で、前記第１タップ動作か前記第２タップ動作かの判定に従い、前記所定の領域を拡大表示、または拡大表示を通常表示に復元する座標入力方法。
【請求項４】
前記座標変換手順が前記第２タップ動作の前記入力座標を処理する場合に、前記入力座標が前記第１タップ動作で拡大表示された拡大表示領域内か否かを判定し、前記拡大表示領域内の場合には、前記座標変換手順により通常表示に復元すると共に、前記第２タップ動作の前記入力座標位置に対応する操作であるイベントを発生し、
前記拡大表示領域外の場合には、前記イベントを発生しない請求項３記載の座標入力方法。
【発明の詳細な説明】
【０００１】
【発明の属する技術分野】
本発明は、表示装置の小型化に伴い表示サイズが小さくなったアイコンを迅速に選択できる平面型座標入力装置に関するものである。
【０００２】
【従来の技術】
従来、表示画面に表示されたアイコンを選択する場合、操作者はポインティングデバイスを操作してカーソルを所望のアイコン上に移動し、選択キーを押すことによって選択していた。
【０００３】
また、表示手段と重ねて構成される平面型座標入力装置によるアイコン選択では、指や先端の接地面積が少ない入力ペンなど特定の補助具を用いて表示された所望のアイコンをタップして選択していた。
【０００４】
【発明が解決しようとする課題】
しかしながら、情報処理装置の軽量薄型化によるキーボードやポインティングデバイスなどの入力装置だけでなく表示装置の小型化に伴いアイコンやカーソルの表示サイズも小さくなり、アイコンの選択操作が難しくなってきている。
【０００５】
表示手段と重ねて構成される平面型座標入力装置の場合には、誤って所望のアイコンに隣接する別のアイコンをタッチして選択してしまうといった問題点があった。
【０００６】
また、車中などの揺れによって不安定な場所での使用においては、所望のアイコン上にカーソルを移動させること自体が難しくなってきている。
【０００７】
本発明は、平面型座標入力装置によるアイコン選択において、入力された座標付近に対応する表示画面の画像を自動的に拡大表示することで表示サイズの小さいアイコンも迅速に選択できることを目的とする。
【０００８】
【課題を解決するための手段】
上記問題点を解決するために、本発明の平面型座標入力装置は、複数のアイコン及び前記複数のアイコンから所望のアイコンを選択するカーソルを表示する表示手段と、入力座標と入力動作を入力情報として出力する平面型座標入力手段と、前記平面型座標入力手段が出力する入力情報からタップ動作を検知して入力情報を記憶する入力情報検知手段と、入力座標に対応した前記表示手段の位置にカーソルを表示するカーソル表示手段と、前記入力情報検知手段が検知したタップ動作が、タップ動作判定の開始から奇数回目のタップ動作（第１タップ動作）か偶数回目のタップ動作（第２タップ動作）かを判定するタップ動作判定手段と、前記第１タップ動作の場合には、前記入力情報検知手段が記憶している入力座標に対応する前記表示手段における所定の領域を拡大表示する拡大変更情報を生成し、前記第２タップ動作の場合には、前記拡大変更情報によって拡大表示された前記表示手段の前記表示内容を通常表示に復元する表示復元情報を生成するとともに、拡大表示時の入力座標を通常表示時の座標に変換する座標変換手段と、前記座標変換手段が生成する前記拡大変更情報または前記表示復元情報に基づき、前記表示手段の表示内容を変更する表示変更手段とを有し、所望のアイコンの近傍にカーソルを合わせ、前記座標変換手段が、前記第１タップ動作か前記第２タップ動作かの判定に従い、前記所定の領域を拡大表示、または拡大表示を通常表示に復元する構成を有することで、先端の接地面積が少ない入力ペンなど特定の補助具を使わなくても、表示サイズの小さいアイコンを迅速に選択することができる。
【０００９】
さらに、上記構成の平面型座標入力装置において、前記座標変換手段が前記第２タップ動作の前記入力座標を処理する場合に、前記入力座標が前記第１タップ動作で拡大表示された拡大表示領域内か否かを判定し、前記拡大表示領域内の場合には、前記座標変換手段により通常表示に復元すると共に、前記第２タップ動作の前記入力座標位置に対応する操作であるイベントを発生し、前記拡大表示領域外の場合には、前記イベントを発生しないようにすることで、誤操作による誤ったイベントの発生を防止することができる。
【００１０】
【発明の実施の形態】
以下に、本発明の実施の形態について図面を用いて説明する。
【００１１】
（実施の形態１）
図１は、本発明の一実施の形態における平面型座標入力装置の構成図である。
【００１２】
図１において、１は入力された座標と動作の種類を入力情報として出力する平面型座標入力手段、２は平面型座標入力手段１から出力される入力情報を監視してタップ動作を検知する入力情報検知手段、５はマウスカーソルやアイコンを表示する表示手段、６は入力情報検知手段２が検知したタップ動作の座標に対応する表示手段５の位置にマウスカーソルを表示させるカーソル表示手段、７は入力情報検知手段２が検知したタップ動作が奇数回目のタップ動作（第１タップ動作）か偶数回目のタップ動作（第２タップ動作）かを判定するタップ動作判定手段、３はタップ動作判定手段７で判定したタップ動作が、第１のタップ動作であれば拡大表示元の画像領域と拡大表示先の画像領域を表示変更情報として算出し、第２のタップ動作であればタップ動作の座標を拡大表示前の座標に変換してマウスイベントを発生させる座標変換手段、４は座標変換手段３で算出した表示変更情報に基づき表示手段５の表示を変更する表示変更手段である。
【００１３】
図２は、アイコンの選択処理における表示画面の変化を説明した概念図である。
【００１４】
図２において、平面型座標入力手段１００には１０２４列×７６８行のセンサが配置されており表示手段１４０の表示画面のドットと対応している。
【００１５】
まず、第１タップ動作として平面型座標入力手段１００の位置１０１をタップすると入力情報として座標（２，２）、動作の種類（タップ）を出力する。入力情報検知手段１１０は平面型座標入力手段１００から出力された入力情報の動作の種類がタップであることを検知して入力情報を動作の種類１１２と座標１１４から構成される入力情報記憶テーブル１１１に記憶し、カーソル表示手段１８０に座標１１５を出力する。カーソル表示手段１８０は、選択可能なアイコン１５１〜１５７が表示されている表示画面１５０（図２の（２Ａ））の座標１１５に対応する位置１５８にマウスカーソルを移動させる。
【００１６】
タップ動作判定手段１９０は、動作判定の開始からのタップ動作判定回数をタップ動作回数１９１として記憶しており、動作判定式１９２により入力情報の入力座標を第１タップ動作として取得したか、第２タップ動作として取得したかをトグルで判定する。すなわち、動作判定式１９２の解が１であれば第１タップ動作として、解が２であれば第２タップ動作として判定して判定結果を入力座標と共に座標変換手段１２０に出力する。
【００１７】
座標変換手段１２０は、タップ動作判定手段１９０から取得した入力座標とタップ動作の判定結果を入力座標１２３および処理モード１２５に記憶する。
【００１８】
処理モード１２５の内容が、第１タップ動作の場合には第１タップ動作処理１２１に記憶された拡大率、表示位置、表示サイズに従って表示変更手段１３０が表示手段１４０の表示を表示画面１６０（図２の（２Ｂ））に示すように変更する。本実施の形態では、表示画面１５０に表示されたアイコン１５４〜１５６が表示画面１６０の拡大表示領域１６７内にアイコン１６２〜１６４として拡大表示される。
【００１９】
次に、第２タップ動作として表示画面１６０の位置１６６に対応する平面型座標入力手段１００のセンサをタップすると、カーソル表示手段１８０が拡大表示領域１６０の位置１６６にマウスカーソルを移動する。座標変換手段１２０は第２タップ動作処理１２２に記憶された変換式に基づいてＸ座標、Ｙ座標を求め、マウスイベントを発生させ、表示変更手段１３０は表示手段１４０の表示を表示画面１７０（図２の（２Ｃ））に示すように変更する。
【００２０】
図４は、アイコンの選択処理を示したフローチャートである。
【００２１】
図４において、Ｐ４０１でタップ動作が第１タップ動作か第２タップ動作かを判断する変数Ｎを初期化する。Ｐ４０２で入力情報検知手段２が平面型座標入力手段１からの入力情報を監視する。Ｐ４０３で入力情報を取得したか否かを判定し、取得できなかった場合にはＰ４０２に戻り、取得した場合にはＰ４０４に移る。Ｐ４０４で取得した入力情報に対応した表示手段５の位置にマウスカーソルを移動する。Ｐ４０５で入力情報がタップ動作によるものか否かを判定し、タップ動作によるものでなければＰ４０２に移り、タップ動作によるものであればＰ４０６に移り変数Ｎの値を（式）Ｎ＝（Ｎ％２）＋１に基づき更新する。Ｐ４０７で第１タップ動作か否かチェックし、第１タップ動作であればＰ４０８に第１タップ動作でなければＰ４０９に移る。
【００２２】
Ｐ４０８（第１タップ動作の場合）で入力情報として取得した座標付近の画像をあらかじめ定められた拡大率、表示位置、表示サイズで拡大表示しする。
【００２３】
Ｐ４０９（第２タップ動作の場合）で拡大表示を通常表示に戻し、Ｐ４１０で拡大表示時の座標として取得した座標を通常表示時の座標に変換し、Ｐ４１１で変換した座標にマウスイベントを発生させる。
【００２４】
図３は、アイコン選択の中断処理における表示画面の変化を説明した概念図である。
【００２５】
図３において、平面型座標入力手段２００には１０２４列×７６８行のセンサが配置されており表示手段２４０の表示画面のドットと対応している。
【００２６】
まず、第１タップ動作として平面型座標入力手段２００の位置２０１をタップすると入力情報として座標（２，２）、動作の種類（タップ）を出力する。入力情報検知手段２１０は平面型座標入力手段２００から出力された入力情報の動作の種類がタップであることを検知して入力情報を動作の種類２１２と座標２１４から構成される入力情報記憶テーブル２１１に記憶し、カーソル表示手段２８０に座標２１５を出力する。カーソル表示手段２８０は、選択可能なアイコン２５１〜２５７が表示されている表示画面２５０（図３の（３Ａ））の座標２１５に対応する位置２５８にマウスカーソルを移動させる。
【００２７】
タップ動作判定手段２９０は、動作判定の開始からのタップ動作判定回数をタップ動作回数２９１として記憶しており、動作判定式２９２により入力情報の入力座標を第１タップ動作として取得したか、第２タップ動作として取得したかをトグルで判定する。すなわち、動作判定式２９２の解が１であれば第１タップ動作として、解が２であれば第２タップ動作として判定して判定結果を入力座標と共に座標変換手段２２０に出力する。
【００２８】
座標変換手段２２０は、タップ動作判定手段２９０から取得した入力座標とタップ動作の判定結果を入力座標２２３および処理モード２２５に記憶する。
【００２９】
処理モード２２５の内容が、第１タップ動作の場合には第１タップ動作処理１２１に記憶された拡大率、表示位置、表示サイズに従って表示変更手段２３０が表示手段２４０の表示を表示画面２６０（図３の（３Ｂ））に示すように変更する。本実施の形態では、表示画面２５０に表示されたアイコン２５４〜２５６が表示画面２６０の拡大表示領域２６７内にアイコン２６２〜２６４として拡大表示される。
【００３０】
次に、第２タップ動作として表示画面２６０の位置２６６に対応する平面型座標入力手段２００のセンサをタップすると、カーソル表示手段２８０が拡大表示領域２６０の位置２６６にマウスカーソルを移動する。
【００３１】
座標変換手段２２０は位置２６６が拡大表示領域２６７に包含されるか否かを判定して包含されない場合はマウスイベントを発生させず、表示変更手段２３０は表示手段２４０の表示を表示画面２７０（図３の（３Ｃ））に示すように変更して、アイコン選択処理が中断される。
【００３２】
図５は、アイコン選択の中断処理を示したフローチャートである。
【００３３】
図５において、Ｐ５０１でタップ動作が第１タップ動作か第２タップ動作かを判断する変数Ｎを初期化する。Ｐ５０２で入力情報検知手段２が平面型座標入力手段１からの入力情報を監視する。Ｐ５０３で入力情報を取得したか否かを判定し、取得できなかった場合にはＰ５０２に戻り、取得した場合にはＰ５０４に移る。Ｐ５０４で取得した入力情報に対応した表示手段５の位置にマウスカーソルを移動する。Ｐ５０５で入力情報がタップ動作によるものか否かを判定し、タップ動作によるものでなければＰ５０２に移り、タップ動作によるものであればＰ５０６に移り変数Ｎの値を（式）Ｎ＝（Ｎ％２）＋１に基づき更新する。Ｐ５０７で第１タップ動作か否かチェックし、第１タップ動作であればＰ５０８に第１タップ動作でなければＰ５０９に移る。
【００３４】
Ｐ５０８（第１タップ動作の場合）で入力情報として取得した座標付近の画像をあらかじめ定められた拡大率、表示位置、表示サイズで拡大表示する。
【００３５】
Ｐ５０９（第２タップ動作の場合）で拡大表示している通常表示に戻し、Ｐ５１０で入力情報として取得した座標が拡大表示領域２６７内か否かをチェックし領域内でなければアイコン選択処理を中断する。領域内であれば、Ｐ５１１で拡大表示時の座標として取得した座標を通常表示時の座標に変換し、Ｐ５１２で変換した座標にマウスイベントを発生させる。
【００３６】
【発明の効果】
以上のように本発明によれば、アイコン選択時に平面型座標入力装置で入力された座標付近に対応する表示画面の画像を自動で拡大表示することによって、指でアイコンを選択する場合でも表示画面に表示されたアイコンを迅速に選択できる平面型座標入力装置を提供することができる。
【図面の簡単な説明】
【図１】本発明の実施の形態１における平面型座標入力装置の構成図
【図２】本発明の実施の形態１におけるアイコンの選択処理における表示画面の変化を示した概念図
【図３】本発明の実施の形態１におけるアイコン選択の中断処理における表示画面の変化を示した概念図
【図４】本発明の実施の形態１におけるアイコンの選択処理を示したフローチャート
【図５】本発明の実施の形態１におけるアイコン選択の中断処理を示したフローチャート
【符号の説明】
１  平面型座標入力手段
２  入力情報検知手段
３  座標変換手段
４  表示変更手段
５  表示手段
６  カーソル表示手段
７  タップ動作判定手段
【図１】
0004273611.tif 000002
【図２】
0004273611.tif 000003
【図３】
0004273611.tif 000004
【図４】
0004273611.tif 000005
【図５】
0004273611.tif 000006